(57)【特許請求の範囲】
【請求項１】
会話する際に所定の操作をすることによって、前記会話の内容を所定の無線通信方式に基づいて変換したメッセージデータを送信するＰＴＴ通信端末と、
前記ＰＴＴ通信端末によって送信された前記メッセージデータを中継及び蓄積するメッセージ処理サーバとを含むＰＴＴ通信システムであって、
前記ＰＴＴ通信端末は、
前記メッセージデータの所定の属性を示す属性情報を前記メッセージデータに付加する属性情報付加部と、
前記属性情報が付加された前記メッセージデータである属性情報付きメッセージデータを前記メッセージ処理サーバに送信する属性情報付きメッセージデータ送信部と
を備え、
前記メッセージ処理サーバは、
前記属性情報付きメッセージデータを受信するメッセージ受信部と、
前記メッセージ受信部が受信した前記属性情報付きメッセージデータに基づいて、前記メッセージデータのメタデータを生成するメタデータ生成部と、
前記メタデータに基づいて前記メッセージデータの内容を示すメッセージデータ情報を生成し、生成した前記メッセージデータ情報を通信端末に送信するメッセージデータ情報送信部と、
前記通信端末から受信した取得要求に応じて、前記メッセージデータ情報に対応付けられている前記メッセージデータを前記通信端末に送信するメッセージデータ送信部と
を備えるＰＴＴ通信システム。
【請求項２】
会話する際に所定の操作をすることによって、前記会話の内容を所定の無線通信方式に基づいて変換したメッセージデータを送信するＰＴＴ通信端末によって送信された前記メッセージデータを中継及び蓄積するメッセージ処理サーバであって、
前記メッセージデータの所定の属性を示す属性情報が付加された前記メッセージデータである属性情報付きメッセージデータを受信するメッセージ受信部と、
前記メッセージ受信部が受信した前記属性情報付きメッセージデータに基づいて、前記メッセージデータのメタデータを生成するメタデータ生成部と、
前記メタデータに基づいて前記メッセージデータの内容を示すメッセージデータ情報を生成し、生成した前記メッセージデータ情報を通信端末に送信するメッセージデータ情報送信部と、
前記通信端末から受信した取得要求に応じて、前記メッセージデータ情報に対応付けられている前記メッセージデータを前記通信端末に送信するメッセージデータ送信部と
を備えるメッセージ処理サーバ。
【請求項３】
前記メッセージデータの重要度が、前記属性情報として前記メッセージデータに付加されており、
前記メタデータ生成部は、前記重要度を含むメタデータを生成する請求項２に記載のメッセージ処理サーバ。
【請求項４】
前記メッセージデータに含まれている会話の内容の種別が、前記属性情報として前記メッセージデータに付加されており、
前記メタデータ生成部は、前記種別を含むメタデータを生成する請求項２に記載のメッセージ処理サーバ。
【請求項５】
会話する際に所定の操作をすることによって、前記会話の内容を所定の無線通信方式に基づいて変換したメッセージデータを送信するＰＴＴ通信端末によって送信された前記メッセージデータを処理するメッセージ処理方法であって、
前記ＰＴＴ通信端末が、前記メッセージデータの所定の属性を示す属性情報を前記メッセージデータに付加するステップと、
前記ＰＴＴ通信端末によって送信された前記属性情報付きメッセージデータに基づいて、前記メッセージデータのメタデータを生成するステップと、
前記メタデータに基づいて前記メッセージデータの内容を示すメッセージデータ情報を生成し、生成した前記メッセージデータ情報を通信端末に送信するステップと、
前記通信端末から受信した取得要求に応じて、前記メッセージデータ情報に対応付けられている前記メッセージデータを前記通信端末に送信するステップと
を備えるメッセージ処理方法。
【発明の詳細な説明】
【技術分野】
【０００１】
本発明は、会話する際に所定の操作をすることによって、前記会話の内容を所定の無線通信方式に基づいて変換したメッセージデータを送信するPush-to-Talk over Cellular（ＰｏＣ）を用いるＰＴＴ通信システム、ＰＴＴ通信端末、メッセージ処理サーバ及びメッセージ処理方法に関する。
【背景技術】
【０００２】
近年、携帯電話端末や、無線通信機能を具備する携帯情報端末（ＰＤＡ）などが用いられる移動通信システムにおいて、トランシーバのような半二重通信による１対Ｎ（多数）の通話を実現する通信サービス、いわゆるPush-to-Talk over Cellular（以下、“ＰｏＣ”と適宜省略する）が提供されている。
【０００３】
ＰｏＣでは、会話の際に特定のボタンなどを操作することによって会話の内容が所定の通信方式にしたがって変換されたメッセージデータを通信ネットワークに向けて送信するPush-to-Talk（ＰＴＴ）機能を具備する携帯電話端末（ＰＴＴ通信端末）と、当該携帯電話端末によって送信されたメッセージデータを通話先の携帯電話端末などに中継したり、当該メッセージデータを蓄積したりする機能などを具備するメッセージ処理サーバとが用いられる（例えば、特許文献１）。
【０００４】
ＰｏＣは、１対Ｎの通話を容易に可能とすることから、電話会議などに活用されるようになっている。
【特許文献１】特表２００２−５３６９２８号公報（第１３−１５頁、第３図）
【発明の開示】
【発明が解決しようとする課題】
【０００５】
しかしながら、上述した従来のＰｏＣには、次のような問題があった。例えば、ＰｏＣを利用した電話会議に参加できなかったメンバーが、メッセージ処理サーバに蓄積されている当該電話会議の内容（メッセージデータ）を後から聴取する場合、当該メンバーは、所望の部分のみ、具体的には、所定の条件に合致した部分のみを容易に選択して聴取することができないといった問題があった。
【０００６】
そこで、本発明は、このような状況に鑑みてなされたものであり、Push-to-Talk over Cellular（ＰｏＣ）を用いる場合において、蓄積されたメッセージデータの中から所定の条件に合致するメッセージデータのみを容易に選択して聴取することができるＰＴＴ通信システム、ＰＴＴ通信端末、メッセージ処理サーバ及びメッセージ処理方法を提供することを目的とする。
【課題を解決するための手段】
【０００７】
上述した問題を解決するため、本発明は、次のような特徴を有している。まず、本発明の第１の特徴は、会話する際に所定の操作（例えば、操作ボタンの押下）をすることによって、前記会話の内容を所定の無線通信方式（第３世代移動通信システム）に基づいて変換したメッセージデータ（メッセージデータＭ１３）を送信するＰＴＴ通信端末（例えば、ＰＴＴ通信端末２０Ａ）と、前記ＰＴＴ通信端末によって送信された前記メッセージデータを中継及び蓄積するメッセージ処理サーバ（ＰＴＴサーバ１００、メッセージ蓄積サーバ２００及びメッセージ提供サーバ３００）とを含むＰＴＴ通信システムであって、前記ＰＴＴ通信端末は、前記メッセージデータの所定の属性を示す属性情報を前記メッセージデータに付加する属性情報付加部（属性情報付加部２７）と、前記属性情報が付加された前記メッセージデータである属性情報付きメッセージデータ（属性情報付きメッセージデータＭ）を前記メッセージ処理サーバに送信する属性情報付きメッセージデータ送信部（通信部２１及びメッセージ処理部２３）とを備え、前記メッセージ処理サーバは、前記属性情報付きメッセージデータを受信するメッセージ受信部（通信部１０１及びメッセージ処理部１０３）と、前記メッセージ受信部が受信した前記属性情報付きメッセージデータに基づいて、前記メッセージデータのメタデータを生成するメタデータ生成部（メタデータ処理部２０５）と、前記メタデータに基づいて前記メッセージデータの内容を示すメッセージデータ情報（Ｗｅｂ画面情報）を生成し、生成した前記メッセージデータ情報を通信端末に送信するメタデータ送信部（通信部３０１及びメッセージ処理部３０３）と、前記通信端末から受信した取得要求に応じて、前記メッセージデータ情報に対応付けられている前記メッセージデータを前記通信端末に送信するメッセージデータ送信部（通信部３０１及びメッセージ処理部３０３）と
を備えることを要旨とする。
【０００８】
このようなＰＴＴ通信システムによれば、メッセージデータの所定の属性を示す属性情報が付加された属性情報付きメッセージデータに基づいて、メッセージデータのメタデータが生成される。
【０００９】
つまり、当該メタデータに基づいてメッセージデータの内容を示すメッセージデータ情報を容易に提供することができるため、メッセージ処理サーバに蓄積されているメッセージデータを聴取しようとする利用者は、当該メッセージデータの中から所定の条件に合致するメッセージのみを容易に選択して聴取することができる。
【００１０】
本発明の第２の特徴は、会話する際に所定の操作をすることによって、前記会話の内容を所定の無線通信方式に基づいて変換したメッセージデータをメッセージ処理サーバ送信するＰＴＴ通信端末であって、前記メッセージデータの所定の属性を示す属性情報を前記メッセージデータに付加する属性情報付加部と、前記属性情報が付加された前記メッセージデータである属性情報付きメッセージデータを前記メッセージ処理サーバに送信する属性情報付きメッセージデータ送信部とを備えることを要旨とする。
【００１１】
本発明の第３の特徴は、本発明の第２の特徴に係り、前記属性情報付加部は、前記メッセージデータの重要度（メッセージ重要度Ｍ１１）を前記属性情報として前記メッセージデータに付加することを要旨とする。
【００１２】
本発明の第４の特徴は、本発明の第３の特徴に係り、操作ボタン部（操作ボタン部２９）をさらに備え、前記重要度は、前記操作ボタン部に対する所定の操作と対応付けられており、前記属性情報付加部は、前記所定の操作が実行されることによって、前記重要度を前記属性情報として前記メッセージデータに付加することを要旨とする。
【００１３】
本発明の第５の特徴は、本発明の第２の特徴に係り、前記属性情報付加部は、前記メッセージデータに含まれている会話の内容の種別（会話内容種別Ｍ１１Ａ）を前記属性情報として前記メッセージデータに付加することを要旨とする。
【００１４】
本発明の第６の特徴は、本発明の第５の特徴に係り、操作ボタン部（操作ボタン部２９）をさらに備え、前記種別は、前記操作ボタン部に対する所定の操作と対応付けられており、前記属性情報付加部は、前記所定の操作が実行されることによって、前記種別を前記属性情報として前記メッセージデータに付加することを要旨とする。
【００１５】
本発明の第７の特徴は、会話する際に所定の操作をすることによって、前記会話の内容を所定の無線通信方式に基づいて変換したメッセージデータを送信するＰＴＴ通信端末によって送信された前記メッセージデータを中継及び蓄積するメッセージ処理サーバであって、前記メッセージデータの所定の属性を示す属性情報が付加された前記メッセージデータである属性情報付きメッセージデータを受信するメッセージ受信部と、前記メッセージ受信部が受信した前記属性情報付きメッセージデータに基づいて、前記メッセージデータのメタデータを生成するメタデータ生成部と、前記メタデータに基づいて前記メッセージデータの内容を示すメッセージデータ情報を生成し、生成した前記メッセージデータ情報を通信端末に送信するメタデータ送信部と、前記通信端末から受信した取得要求に応じて、前記メッセージデータ情報に対応付けられている前記メッセージデータを前記通信端末に送信するメッセージデータ送信部とを備えることを要旨とする。
【００１６】
本発明の第８の特徴は、本発明の第７の特徴に係り、前記メッセージデータの重要度が、前記属性情報として前記メッセージデータに付加されており、前記メタデータ生成部は、前記重要度を含むメタデータを生成することを要旨とする。
【００１７】
本発明の第９の特徴は、本発明の第７の特徴に係り、前記メッセージデータに含まれている会話の内容の種別が、前記属性情報として前記メッセージデータに付加されており、前記メタデータ生成部は、前記種別を含むメタデータを生成することを要旨とする。
【００１８】
本発明の第１０の特徴は、会話する際に所定の操作をすることによって、前記会話の内容を所定の無線通信方式に基づいて変換したメッセージデータを送信するＰＴＴ通信端末によって送信された前記メッセージデータを処理するメッセージ処理方法であって、前記ＰＴＴ通信端末が、前記メッセージデータの所定の属性を示す属性情報を前記メッセージデータに付加するステップと、前記ＰＴＴ通信端末によって送信された前記属性情報付きメッセージデータに基づいて、前記メッセージデータのメタデータを生成するステップと、前記メタデータに基づいて前記メッセージデータの内容を示すメッセージデータ情報を生成し、生成した前記メッセージデータ情報を通信端末に送信するステップと、前記通信端末から受信した取得要求に応じて、前記メッセージデータ情報に対応付けられている前記メッセージデータを前記通信端末に送信するステップとを備えることを要旨とする。
【発明の効果】
【００１９】
本発明の特徴によれば、Push-to-Talk over Cellular（ＰｏＣ）を用いる場合において、蓄積されたメッセージデータの中から所定の条件に合致するメッセージデータのみを容易に選択して聴取することができるＰＴＴ通信システム、ＰＴＴ通信端末、メッセージ処理サーバ及びメッセージ処理方法を提供することができる。
【発明を実施するための最良の形態】
【００２０】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２１】
したがって、具体的な寸法などは以下の説明を参酌して判断すべきものである。また、図面相互間においても互いの寸法の関係や比率が異なる部分が含まれていることは勿論である。
【００２２】
（ＰＴＴ通信システムの全体概略構成）
図１は、本実施形態に係るＰＴＴ通信システムの全体概略構成図である。本実施形態に係るＰＴＴ通信システムには、ＰＴＴ通信端末２０Ａ，２０Ｂが含まれる。さらに、当該ＰＴＴ通信システムには、ＰＴＴサーバ１００、メッセージ蓄積サーバ２００及びメッセージ提供サーバ３００が含まれる。
【００２３】
また、本実施形態では、ＰＴＴ通信端末２０Ａ，２０Ｂは、いわゆる第３世代移動通信システムに対応した携帯電話端末である。
【００２４】
特に、ＰＴＴ通信端末２０Ａ，２０Ｂは、会話する際に所定の操作、具体的には、操作ボタン部２９の特定のボタンを操作することによって、会話の内容を所定の無線通信方式、本実施形態では、第３世代移動通信システムにおいて用いられる音声符号化則や変調方式に基づいて変換した属性情報付きメッセージデータＭを送信するPush-to-Talk（ＰＴＴ）機能を具備しており、いわゆるPush-to-Talk over Cellular（ＰｏＣ）を利用することができる。
【００２５】
なお、図１では図示されていないが、本実施形態に係るＰＴＴ通信システムには、ＰＴＴ通信端末２０Ａ，２０Ｂと同様の機能を具備するＰＴＴ通信端末が多数含まれる。本実施形態では、当該ＰＴＴ通信端末間において、ＰｏＣを利用した電話会議が行われるものとして以下説明する。
【００２６】
通信端末３０は、無線基地局１１Ａ，１１Ｂを介して通信ネットワーク１０にアクセスすることができる通信端末である。通信端末３０は、ＰＴＴ通信端末２０Ａ，２０ＢのようなＰＴＴ機能は具備していない一般的な無線通信端末である。通信端末３０としては、携帯電話端末や、無線通信機能を具備する携帯情報端末（ＰＤＡ）などが用いられる。
【００２７】
通信ネットワーク１０は、ＰＴＴ通信端末２０Ａ，２０Ｂによって送信された属性情報付きメッセージデータＭなどを中継する。通信ネットワーク１０には、ＰＴＴ通信端末２０Ａ，２０Ｂ及び通信端末３０と無線通信を実行する無線基地局１１Ａ，１１Ｂが含まれている。
【００２８】
また、通信ネットワーク１０には、ＰＴＴサーバ１００、メッセージ蓄積サーバ２００及びメッセージ提供サーバ３００が接続されている。
【００２９】
ＰＴＴサーバ１００は、ＰＴＴ通信端末２０Ａ，２０Ｂによって送信された属性情報付きメッセージデータＭを、通信端末３０及びメッセージ蓄積サーバ２００に中継する。
【００３０】
メッセージ蓄積サーバ２００は、ＰＴＴサーバ１００によって中継された属性情報付きメッセージデータＭに含まれているメッセージデータＭ１３を蓄積する。
【００３１】
また、メッセージ蓄積サーバ２００は、メッセージデータＭ１３のメタデータＤ（図１０参照）を生成し、生成したメタデータＤを蓄積する。
【００３２】
メッセージ提供サーバ３００は、通信端末３０との通信を実行し、メタデータＤに基づいて生成されるＷｅｂ画面情報（図１１（ｂ），（ｃ１），（ｃ２）参照）や、メッセージデータＭ１３を通信端末３０に送信する。
【００３３】
本実施形態では、ＰＴＴサーバ１００、メッセージ蓄積サーバ２００及びメッセージ提供サーバ３００によって、ＰＴＴ通信端末２０Ａ，２０Ｂによって送信された属性情報付きメッセージデータＭを中継及び蓄積する“メッセージ処理サーバ”が構成される。
【００３４】
なお、本実施形態では、３台のサーバ、すなわち、ＰＴＴサーバ１００、メッセージ蓄積サーバ２００及びメッセージ提供サーバ３００を用いてメッセージ処理サーバが構成されているが、１台のサーバを用いてメッセージ処理サーバを構成しても構わない。
【００３５】
（論理ブロック構成）
次に、上述したＰＴＴ通信端末２０Ａ、通信端末３０、ＰＴＴサーバ１００、メッセージ蓄積サーバ２００及びメッセージ提供サーバ３００の論理ブロック構成について説明する。
【００３６】
（１）ＰＴＴ通信端末
図２は、ＰＴＴ通信端末２０Ａの論理ブロック構成図である。なお、ＰＴＴ通信端末２０ＢもＰＴＴ通信端末２０Ａと同様の論理ブロック構成を有している。また、以下、本発明との関連がある部分について主に説明する。したがって、ＰＴＴ通信端末２０Ａは、ＰＴＴ通信端末２０Ａの機能を実現する上で必須な、図示しない或いは説明を省略した論理ブロック（電源部など）を備える場合があることに留意されたい（後述する通信端末３０、ＰＴＴサーバ１００、メッセージ蓄積サーバ２００及びメッセージ提供サーバ３００についても同様である）。
【００３７】
図２に示すように、ＰＴＴ通信端末２０Ａは、通信部２１、メッセージ処理部２３、プレゼンス処理部２５、属性情報付加部２７及び操作ボタン部２９を備えている。
【００３８】
通信部２１は、無線基地局１１Ａ，１１Ｂと無線通信を実行するための機能（無線信号の送受信や変復調など）を提供する。
【００３９】
メッセージ処理部２３は、会話の内容（メッセージ）を処理する。具体的には、メッセージ処理部２３は、ＰＴＴ通信端末２０Ａの利用者が発言した会話の内容、つまり、音声帯域信号を所定の音声符号化則（例えば、ＡＭＲ）に基づいて、メッセージデータＭ１３（図９参照）に変換する。
【００４０】
また、メッセージ処理部２３は、メッセージデータＭ１３の所定の属性を示す属性情報が付加されたメッセージデータである属性情報付きメッセージデータＭをＰＴＴサーバ１００に送信する。本実施形態では、通信部２１とメッセージ処理部２３とによって、属性情報付きメッセージデータ送信部が構成される。
【００４１】
具体的には、メッセージ処理部２３は、ＰＴＴ機能と対応付けられている操作ボタン部２９の特定のボタンが操作された場合、生成した属性情報付きメッセージデータＭをＰＴＴサーバ１００に送信する。
【００４２】
ここで、図９を参照して属性情報付きメッセージデータＭの構成について説明する。図９に示すように、属性情報付きメッセージデータＭは、メッセージ重要度Ｍ１１、テーマ切替フラグＭ１２及びメッセージデータＭ１３によって構成されている。
【００４３】
メッセージ重要度Ｍ１１は、メッセージデータＭ１３の重要度を示す。メッセージ重要度Ｍ１１に割り当てられるビットは、重要度のレベル数に応じて適当な数を割り当てる。
【００４４】
テーマ切替フラグＭ１２は、ＰｏＣを用いた複数のＰＴＴ通信端末間において電話会議を行っている際に、当該電話会議において議論されるテーマ（議題）が移ったことを示す。具体的には、テーマ切替フラグＭ１２は、当該テーマが移った直後に送信されるメッセージデータＭ１３において、所定の状態（例えば、“１”）にセットされる。
【００４５】
図２に示すように、プレゼンス処理部２５は、ＰＴＴ通信端末２０Ａの利用者の状態に応じて、当該利用者のプレゼンスを示すプレゼンス情報を生成し、生成したプレゼンス情報をＰＴＴサーバ１００に通知する。
【００４６】
具体的には、プレゼンス処理部２５は、ＰＴＴ通信端末２０Ａの利用者の状態、例えば、「現在、一時的に電話会議に参加していない」、「電話会議から間もなく離脱する」、「移動中である」、「食事中である」といった状態に応じて、当該内容を示すプレゼンス情報を生成する。なお、プレゼンス情報の内容は、ＰＴＴ通信端末２０Ａの利用者が任意に設定することができる。
【００４７】
プレゼンス処理部２５は、ＰＴＴ通信端末２０Ａの利用者の状態変化に応じてプレゼンス情報が変更される都度、新たなプレゼンス情報をＰＴＴサーバ１００に通知する。
【００４８】
属性情報付加部２７は、メッセージデータＭ１３の所定の属性を示す属性情報、本実施形態では、上述したメッセージ重要度Ｍ１１（図９参照）をメッセージデータＭ１３に付加する。
【００４９】
また、本実施形態では、メッセージ重要度Ｍ１１は、操作ボタン部２９に対する所定の操作と対応付けられており、属性情報付加部２７は、当該所定の操作が実行されることによって、メッセージ重要度Ｍ１１をメッセージデータＭ１３に付加する。
【００５０】
例えば、メッセージ重要度Ｍ１１によって表現されるメッセージデータＭ１３の重要度を１〜９の９段階（１：高重要度、９：低重要度）によって表現する場合、当該重要度は、操作ボタン部２９を構成するボタンのうち、“１”〜“９”のボタンと対応付けることができる。つまり、メッセージデータＭ１３の重要度を最も高く設定したい場合、“１”のボタンを押下する。
【００５１】
操作ボタン部２９は、数字、アルファベット及びひらがななどと対応付けられた複数の操作ボタンによって構成されている。操作ボタン部２９は、上述したように、会話の内容を送信するＰＴＴ機能を用いて送信する際や、メッセージデータＭ１３の重要度を指定する際に用いられる他、電話番号やアドレスの入力などにも用いられる。
【００５２】
（２）通信端末
図３は、通信端末３０の論理ブロック構成図である。図３に示すように、通信端末３０は、通信部３１、メッセージ処理部３３及び出力部３５を備えている。
【００５３】
通信部３１は、無線基地局１１Ａ，１１Ｂと無線通信を実行するための機能（無線信号の送受信や変復調など）を提供する。
【００５４】
メッセージ処理部３３は、メッセージ提供サーバ３００によって送信された電子メール（ＳＭＳによるメッセージを含む）、Ｗｅｂ画面情報（図１１参照）及びメッセージデータＭ１３に関する処理を実行する。
【００５５】
出力部３５は、メッセージ処理部３３によって処理が実行された電子メールの内容やＷｅｂ画面情報を表示したり、メッセージデータＭ１３に基づいて音声帯域信号を出力したりする。出力部３５は、小型の液晶表示器やスピーカなどによって構成されている。
【００５６】
（３）メッセージ処理サーバ
本実施形態では、上述したように、ＰＴＴサーバ１００、メッセージ蓄積サーバ２００及びメッセージ提供サーバ３００によってメッセージ処理サーバが構成される。以下、ＰＴＴサーバ１００、メッセージ蓄積サーバ２００及びメッセージ提供サーバ３００の論理ブロック構成について説明する。
【００５７】
（３．１）ＰＴＴサーバ
図４は、ＰＴＴサーバ１００の論理ブロック構成図である。図４に示すように、ＰＴＴサーバ１００は、通信部１０１、メッセージ処理部１０３、メンバー管理部１０５、プレゼンス管理部１０７及び記憶部１０９を備えている。
【００５８】
通信部１０１は、通信ネットワーク１０と接続するための通信インターフェースを提供する。特に、本実施形態では、通信部１０１は、ＰＴＴ通信端末２０Ａ（２０Ｂ）によって送信された属性情報付きメッセージデータＭやプレゼンス情報などを中継する。
【００５９】
メッセージ処理部１０３は、ＰＴＴ通信端末２０Ａ（２０Ｂ）によって送信された属性情報付きメッセージデータＭの処理を実行する。
【００６０】
具体的には、メッセージ処理部１０３は、記憶部１０９に記憶されているリストを参照して、ＰＴＴ通信端末２０Ａ（２０Ｂ）によって送信された属性情報付きメッセージデータＭを当該電話会議に参加している他のＰＴＴ通信端末に中継する。
【００６１】
また、メッセージ処理部１０３は、ＰＴＴ通信端末２０Ａ（２０Ｂ）によって送信された属性情報付きメッセージデータＭをメッセージ蓄積サーバ２００に中継する。本実施形態では、通信部１０１とメッセージ処理部１０３とによって、メッセージ受信部が構成される。
【００６２】
メンバー管理部１０５は、ＰｏＣを利用した電話会議への参加メンバー、つまり、ＰＴＴ通信端末を管理する。具体的には、メンバー管理部１０５は、ＰｏＣを利用した電話会議に参加するＰＴＴ通信端末のリストを生成し、生成したリストを記憶部１０９に記憶させる。
【００６３】
また、メンバー管理部１０５は、メッセージ蓄積サーバ２００によって送信された利用者名変換要求に応じて、記憶部１０９に記憶されているデータベースを参照し、ＰＴＴ通信端末の電話番号に対応付けられている利用者名や当該利用者のメールアドレスをメッセージ蓄積サーバ２００に通知する。
【００６４】
プレゼンス管理部１０７は、ＰＴＴ通信端末２０Ａ（２０Ｂ）によって送信されたプレゼンス情報を管理する。
【００６５】
具体的には、プレゼンス管理部１０７は、ＰＴＴ通信端末２０Ａ（２０Ｂ）からプレゼンス情報を受信した場合、当該プレゼンス情報に基づいて、記憶部１０９に記憶されているＰＴＴ通信端末２０Ａ（２０Ｂ）の利用者の状態を更新する。なお、プレゼンス管理部１０７は、ＰＴＴ通信端末２０Ａ（２０Ｂ）の位置情報を外部から取得し、当該位置情報に基づいてＰＴＴ通信端末２０Ａ（２０Ｂ）の利用者の状態を更新してもよい。
【００６６】
また、プレゼンス管理部１０７は、プレゼンス情報に基づいて、当該電話会議に参加している他のＰＴＴ通信端末に対して、ＰＴＴ通信端末２０Ａ（２０Ｂ）の利用者の状態が変化したことを通知する。
【００６７】
さらに、プレゼンス管理部１０７は、メッセージ蓄積サーバ２００によって送信されたプレゼンスの通知要求に応じて、記憶部１０９に記憶されている利用者の状態をメッセージ蓄積サーバ２００に通知する。
【００６８】
記憶部１０９は、ＰｏＣを利用した電話会議に参加するＰＴＴ通信端末のリストなどのデータベースや、当該電話会議に参加しているＰＴＴ通信端末の利用者の状態を示すプレゼンスなどを記憶する。
【００６９】
（３．２）メッセージ蓄積サーバ
図５は、メッセージ蓄積サーバ２００の論理ブロック構成図である。図５に示すように、メッセージ蓄積サーバ２００は、通信部２０１、メッセージ処理部２０３、メタデータ処理部２０５及び記憶部２０７を備えている。
【００７０】
通信部２０１は、通信ネットワーク１０と接続するための通信インターフェースを提供する。特に、本実施形態では、通信部２０１は、ＰＴＴサーバ１００によって送信された属性情報付きメッセージデータＭや、メタデータ処理部２０５によって生成されたメタデータＤ（図１０参照）などを中継する。
【００７１】
メッセージ処理部２０３は、ＰＴＴサーバ１００によって送信された属性情報付きメッセージデータＭの処理を実行する。
【００７２】
具体的には、メッセージ処理部２０３は、ＰＴＴサーバ１００によって送信された属性情報付きメッセージデータＭを取得する。メッセージ処理部２０３は、属性情報付きメッセージデータＭに含まれているメッセージ重要度Ｍ１１やテーマ切替フラグＭ１２の内容をメタデータ処理部２０５に通知する。
【００７３】
メタデータ処理部２０５は、ＰＴＴサーバ１００によって送信された属性情報付きメッセージデータＭに基づいて、メッセージデータＭ１３のメタデータＤを生成する。本実施形態において、メタデータ処理部２０５は、メタデータ生成部を構成する。
【００７４】
具体的には、メタデータ処理部２０５は、属性情報付きメッセージデータＭに含まれているメッセージ重要度Ｍ１１やテーマ切替フラグＭ１２、メッセージデータＭ１３が生成（送信）された時刻、或いはＰＴＴサーバ１００によって通知されたＰＴＴ通信端末２０Ａ（２０Ｂ）の利用者の状態（プレゼンス）などに基づいて、メタデータＤを生成する。
【００７５】
本実施形態では、メタデータ処理部２０５は、ＭＰＥＧ−７において規定されたフォーマットに基づいて、メタデータＤを生成する。
【００７６】
図１０は、メタデータＤの一例を示している。図１０に示すように、メタデータＤは、ＭＰＥＧ−７において規定されたフォーマット、すなわちＸＭＬにしたがって記述されている。
【００７７】
メタデータＤは、メッセージ番号（message_no）、メッセージデータＭ１３の生成された時刻及び長さ（time, message_length）、発言者（speaker）、重要度（importance level）が含まれている。すなわち、本実施形態では、メタデータ処理部２０５は、メッセージ重要度Ｍ１１に基づいて、メッセージデータＭ１３の重要度を含むメタデータＤを生成する。
【００７８】
また、メタデータ処理部２０５は、ＰＴＴサーバ１００によって通知されたＰＴＴ通信端末２０Ａ（２０Ｂ）の利用者に関する情報（例えば、電話番号、メールアドレス及びプレゼンス）に基づいて、当該利用者、つまり、発言者に関する情報を含むメタデータを生成することもできる。
【００７９】
記憶部２０７は、ＰＴＴサーバ１００によって中継された属性情報付きメッセージデータＭや、メタデータ処理部２０５によって生成されたメタデータＤなどを記憶する。
【００８０】
（３．３）メッセージ提供サーバ
図６は、メッセージ提供サーバ３００の論理ブロック構成図である。図６に示すように、メッセージ提供サーバ３００は、通信部３０１、メッセージ処理部３０３及び記憶部３０５を備えている。
【００８１】
通信部３０１は、通信ネットワーク１０と接続するための通信インターフェースを提供する。特に、本実施形態では、通信部３０１は、ＰＴＴ通信端末２０Ａ（２０Ｂ）によって送信されたメッセージの取得要求や、メッセージ処理部３０３によって送信されたメッセージデータＭ１３などを中継する。
【００８２】
メッセージ処理部３０３は、通信端末３０からのメッセージの取得要求に応じて、通信端末３０に送信するメッセージデータＭ１３に関する処理を実行する。
【００８３】
具体的には、メッセージ処理部３０３は、メッセージ蓄積サーバ２００から通知されたメールアドレス（または電話番号）に基づいて、利用者が参加できなかった電話会議に関するメッセージデータＭ１３が蓄積されていることを通知する電子メール（ＳＭＳによるメッセージを含む）を当該メールアドレス（電話番号）宛てに送信する。
【００８４】
また、メッセージ処理部３０３は、通信端末３０から受信した取得要求に応じて、メッセージデータＭ１３の内容を示すＷｅｂ画面情報（メッセージデータ情報）を、メッセージデータＭ１３と対応付けられているメタデータＤに基づいて生成する。
【００８５】
さらに、メッセージ処理部３０３は、生成したＷｅｂ画面情報（図１１（ｂ），（ｃ１），（ｃ２）参照）を通信端末３０に送信する。本実施形態では、通信部３０１とメッセージ処理部３０３とによって、メッセージデータ情報送信部が構成される。
【００８６】
また、メッセージ処理部３０３は、通信端末３０から受信したメッセージデータＭ１３の取得要求に応じて、Ｗｅｂ画面情報（メッセージデータ情報）に対応付けられているメッセージデータＭ１３を通信端末３０に送信する。本実施形態では、通信部３０１とメッセージ処理部３０３とによって、メッセージデータ送信部が構成される。
【００８７】
記憶部３０５は、メッセージ処理部３０３によって生成された電子メールやＷｅｂ画面情報などを記憶する。
【００８８】
（ＰＴＴ通信システムの動作）
次に、上述したＰＴＴ通信システムの動作について説明する。具体的には、ＰＴＴ通信端末２０Ａによる属性情報付きメッセージデータＭの送信に伴う動作、及び通信端末３０によるメッセージデータＭ１３の取得に伴う動作について説明する。
【００８９】
なお、本実施形態では、ＰＴＴ通信端末２０Ａ及びＰＴＴ通信端末２０ＢがPush-to-Talk over Cellular（ＰｏＣ）を用いた電話会議を行い、当該電話会議に参加できなかった利用者が、通信端末３０を用いてメッセージ蓄積サーバ２００に蓄積されている当該電話会議の内容であるメッセージデータＭ１３を取得する場合について説明する。
【００９０】
（１）属性情報付きメッセージデータの送信に伴う動作
図７に示すように、ステップＳ１０において、ＰＴＴ通信端末２０Ａは、操作ボタン部２９の所定のボタンが操作されることによって、メッセージ重要度Ｍ１１、テーマ切替フラグＭ１２及びメッセージデータＭ１３が含まれる属性情報付きメッセージデータＭ（図９参照）をＰＴＴサーバ１００に送信する。
【００９１】
ステップＳ２０ａにおいて、ＰＴＴサーバ１００は、ＰＴＴ通信端末２０Ａから受信した属性情報付きメッセージデータＭに含まれているメッセージデータＭ１３をＰＴＴ通信端末２０Ｂに中継する。
【００９２】
また、ステップＳ２０ｂにおいて、ＰＴＴサーバ１００は、ＰＴＴ通信端末２０Ａから受信した属性情報付きメッセージデータＭをメッセージ蓄積サーバ２００に中継する。なお、ステップＳ２０ａの処理とステップＳ２０ｂの処理とは、並行して実行される。
【００９３】
なお、本実施形態では、ＰｏＣが用いられるため、ＰＴＴ通信端末間の通信は半二重となる。このため、メッセージデータＭ１３と、メッセージデータＭ１３の送信者、つまりＰＴＴ通信端末とは必ず１対１で対応付けられる。
【００９４】
また、ＰＴＴサーバ１００は、ＰｏＣを用いた電話会議への参加メンバー、つまり、ＰＴＴ通信端末を把握しているため、属性情報付きメッセージデータＭには、送信者の情報を含めなくてもよい。
【００９５】
さらに、ＰＴＴサーバ１００は、ＰＴＴ通信端末によって送信された属性情報付きメッセージデータＭに含まれているメッセージデータＭ１３を中継するため、属性情報付きメッセージデータＭには、時刻に関する情報も含めなくてもよい。
【００９６】
ステップＳ３０において、ＰＴＴ通信端末２０Ｂは、ＰＴＴサーバ１００から受信したメッセージデータＭ１３を変換し、音声帯域信号（会話の内容）を出力する。
【００９７】
ステップＳ４０において、メッセージ蓄積サーバ２００は、ＰＴＴサーバ１００によって中継された属性情報付きメッセージデータＭなどに基づいて、属性情報付きメッセージデータＭに含まれているメッセージデータＭ１３のメタデータＤを生成する。
【００９８】
具体的には、メッセージ蓄積サーバ２００は、属性情報付きメッセージデータＭに含まれているメッセージ重要度Ｍ１１やテーマ切替フラグＭ１２、メッセージデータＭ１３が生成された時刻、或いはＰＴＴサーバ１００によって通知されたＰＴＴ通信端末２０Ａの利用者に関する情報（例えば、電話番号、メールアドレス及びプレゼンス）などに基づいて、メタデータＤを生成する。
【００９９】
なお、ＰＴＴサーバ１００は、ＰＴＴ通信端末の利用者の状態（プレゼンス）やＰＴＴ通信端末の位置情報を把握しているため、メッセージ蓄積サーバ２００は、当該状況に基づいたメタデータＤを生成することもできる。例えば、メッセージ蓄積サーバ２００は、Billさんのプレゼンスに基づいて、「Billさんが聴いていないメッセージデータ」を内容とするメタデータＤを生成することができる。
【０１００】
ステップＳ５０において、メッセージ蓄積サーバ２００は、生成したメタデータＤを蓄積する。具体的には、メッセージ蓄積サーバ２００は、生成したメタデータＤを記憶部２０７（図５参照）に記憶する。
【０１０１】
（２）通信端末によるメッセージデータの取得に伴う動作
図８に示すように、ステップＳ１１０において、メッセージ提供サーバ３００は、通信端末３０にＳＭＳによるメッセージ（ＳＭＳメッセージ）を送信する。具体的には、メッセージ提供サーバ３００は、メッセージ蓄積サーバ２００から通知された電話番号に基づいて、通信端末３０の利用者が参加できなかった電話会議に関するメッセージデータＭ１３が蓄積されていることを通知するＳＭＳメッセージを当該電話番号宛てに送信する。
【０１０２】
ここで、図１１（ａ）は、メッセージ提供サーバ３００によって送信されるＳＭＳメッセージの一例を示している。図１１（ａ）に示すようなＳＭＳメッセージが通信端末３０において表示されるため、通信端末３０の利用者は、参加できなかった電話会議に関するメッセージデータＭ１３が蓄積されていることを認識する。
【０１０３】
ステップＳ１２０において、通信端末３０は、当該利用者による所定の操作に基づいて、メッセージデータＭ１３の取得要求をメッセージ提供サーバ３００に送信する。具体的には、通信端末３０は、ステップＳ１１０において受信したＳＭＳメッセージに含まれているＵＲＬと対応付けられているメッセージ提供サーバ３００にアクセスする。
【０１０４】
ステップＳ１３０において、メッセージ提供サーバ３００は、メッセージデータＭ１３の聴取方法などを示すＷｅｂ画面情報（メッセージデータ情報）を通信端末３０に送信する。
【０１０５】
ここで、図１１（ｂ）は、メッセージ提供サーバ３００によって送信されるＷｅｂ画面情報の一例を示している。図１１（ｂ）に示すように、ステップＳ１３０において送信されるＷｅｂ画面情報には、当該電話会議への参加メンバー（バディメンバー）、及びメッセージデータＭ１３（ＰｏＣメッセージ）の聴取方法が含まれている。
【０１０６】
本実施形態では、メッセージデータＭ１３（ＰｏＣメッセージ）の聴取方法として、（１）最初から聴く、（２）聴きたい発言のみ選択、（３）聴きたい発言者のみ選択、及び（４）重要度で選択、の４つが提供される。
【０１０７】
ここで、図１２（ａ）〜（ｄ）を参照して、上述した聴取方法にしたがったメッセージデータＭ１３の選択例について説明する。図１２（ａ）は、発言順、つまり、時系列に沿って配置された複数のメッセージデータを示している。例えば、図１２（ａ）の左端に示されている“Smith(1)”は、当該電話会議への参加メンバーSmithの１回目の発言内容を含むメッセージデータであることを示している。
【０１０８】
図１２（ａ）に示すような複数のメッセージデータにおいて、聴きたい発言者として、“Smith”を選択した場合、図１２（ｂ）に示すように、発言者がSmithであるメッセージデータ（図中の斜線部分）のみが選択される。
【０１０９】
また、電話会議開始から３０秒経過した時点から電話会議の内容を聴取すると指定した場合、図１２（ｃ）に示すように、電話会議開始から３０秒経過した時点の発言の内容を含む“Nancy(1)”以降のメッセージデータ（図中の斜線部分）が選択される。
【０１１０】
さらに、図１２（ｄ）に示すように、特定のメッセージデータを選択することもできる。例えば、メッセージデータＭ１３に付加されたメッセージ重要度Ｍ１１（図９参照）に基づいて重要度の高いメッセージデータである“Smith(1)”及び“Bill(1)”のみを選択することができる。
【０１１１】
次いで、図８に示すように、ステップＳ１４０において、通信端末３０は、メッセージデータＭ１３の聴取方法の選択結果を通知する。
【０１１２】
ステップＳ１５０において、メッセージ提供サーバ３００は、通信端末３０によって通知されたメッセージデータＭ１３の聴取方法に基づいて、該当するメッセージデータＭ１３と対応付けられているメタデータＤをメッセージ蓄積サーバ２００に要求する。
【０１１３】
ステップＳ１６０において、メッセージ蓄積サーバ２００は、メッセージ提供サーバ３００によるメタデータＤの要求に応じて、該当するメタデータＤをメッセージ提供サーバ３００に送信する。
【０１１４】
ステップＳ１７０において、メッセージ提供サーバ３００は、メッセージ蓄積サーバ２００から受信したメタデータＤに基づいて、通信端末３０によって通知されたメッセージデータＭ１３の聴取方法に該当するメッセージデータＭ１３の内容を示すＷｅｂ画面情報（メッセージデータ情報）を生成し、生成したＷｅｂ画面情報を通信端末３０に送信する。
【０１１５】
具体的には、メッセージ提供サーバ３００は、図１１（ｃ１）や図１１（ｃ２）に示すようなＷｅｂ画面情報を通信端末３０に送信する。図１１（ｃ１）に示すＷｅｂ画面情報は、図１１（ｂ）に示したＷｅｂ画面情報において、“４．重要度で選択”を選択した場合に表示される。本実施形態では、重要度が“１”（高重要度）に設定されているメッセージデータが赤色で表示（図中の斜線部分）されている。
【０１１６】
ここで、重要度が“１”に設定されているメッセージデータ（“12：30：34 Smith >>>, 12:33:37 Bill>>>）を選択すると、左側に設けられているチェックボックスにチェックマークが表示される。なお、重要度のレベル（”１“〜”９“）と、表示に用いる色との対応は、適宜設定することができる。
【０１１７】
また、図１１（ｃ２）に示すＷｅｂ画面情報は、図１１（ｂ）に示したＷｅｂ画面情報において、“３．聴きたい発言者のみ選択”を選択した場合に表示される。ここで、発言者Smithを選択すると、左側に設けられているチェックボックスにチェックマークが表示される。
【０１１８】
次いで、図８に示すように、ステップＳ１８０において、通信端末３０は、メッセージ提供サーバ３００から受信したＷｅｂ画面情報にしたがって選択したメッセージデータの選択結果をメッセージ提供サーバ３００に送信する。
【０１１９】
ステップＳ１９０において、メッセージ提供サーバ３００は、通信端末３０から受信したメッセージデータの選択結果に基づいて、該当するメッセージデータＭ１３を通信端末３０に送信する。
【０１２０】
ステップＳ２００において、通信端末３０は、メッセージ提供サーバ３００から受信したメッセージデータＭ１３を変換し、音声帯域信号（会話の内容）を出力する。
【０１２１】
（作用・効果）
以上説明した本実施形態に係るＰＴＴ通信システムによれば、メッセージデータＭ１３の所定の属性を示す属性情報、具体的にはメッセージ重要度Ｍ１１が付加された属性情報付きメッセージデータＭに基づいて、メッセージデータＭ１３のメタデータＤが生成される。
【０１２２】
つまり、メタデータＤに基づいてメッセージデータＭ１３の重要度を示す情報を容易に提供することができるため、メッセージ蓄積サーバ２００に蓄積されているメッセージデータＭ１３を聴取しようとする利用者は、複数のメッセージデータＭ１３の中から所定の条件（例えば、高重要度に設定されているメッセージデータＭ１３のみを選択）に合致するメッセージデータＭ１３のみを容易に選択して聴取することができる。
【０１２３】
本実施形態に係るＰＴＴ通信システムによれば、メッセージデータＭ１３の重要度は、ＰＴＴ通信端末２０Ａの操作ボタン部２９に対する所定の操作（例えば、“１”のボタンの押下）と対応付けられており、属性情報付加部２７は、当該所定の操作が実行されることによって、当該操作ボタンに対応付けられている重要度を属性情報としてメッセージデータＭ１３に付加する。
【０１２４】
このため、ＰＴＴ通信端末２０Ａの利用者は、操作ボタン部２９の簡単な操作で容易に属性情報を適宜メッセージデータＭ１３に付加することができる。
【０１２５】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１２６】
例えば、上述した本発明の実施形態では、メッセージデータＭ１３の重要度を属性情報としてメッセージデータＭ１３に付加したが、メッセージデータＭ１３の重要度以外の情報をメッセージデータＭ１３に付加してもよい。
【０１２７】
具体的には、ＰＴＴ通信端末２０Ａの属性情報付加部２７は、メッセージデータＭ１３に含まれている会話の内容の“種別”を属性情報としてメッセージデータＭ１３に付加してもよい。なお、会話の内容の“種別”とは、例えば、会話の内容が特定の発言に対する応答か新規の発言であるかを示すために用いられる。
【０１２８】
より具体的には、図９に示すように、メッセージ重要度Ｍ１１に代えて、会話の内容の種別を示す会話内容種別Ｍ１１ＡがメッセージデータＭ１３に付加される。また、会話内容の種別も重要度と同様に、操作ボタン部２９に対する所定の操作（例えば、特定の発言に対する応答の場合、“＊”ボタンを押下する）と対応付けられる。
【０１２９】
なお、この場合、メッセージ蓄積サーバ２００のメタデータ処理部２０５は、当該会話の種別を含むメタデータＤを生成する。
【０１３０】
上述した本発明の実施形態では、メタデータＤは、ＭＰＥＧ−７において規定されたフォーマットに基づいて生成されていたが、メタデータＤは他のフォーマット、例えば、TV-Anytime Forumにおいて規定されるフォーマットに基づいて生成してもよい。
【０１３１】
また、上述したメッセージ蓄積サーバ２００は、通信端末からの要求に応じて、蓄積しているメタデータＤの内容を編集する機能を具備してもよい。例えば、メッセージ蓄積サーバ２００は、通信端末からメッセージデータＭ１３の重要度を変更する要求を受信した場合、当該要求の内容に応じて、メッセージデータＭ１３と対応付けられているメタデータＤに含まれている重要度（importance level）の内容を変更する。さらに、電話会議に参加できなかったメンバーに聴取させたくないメッセージデータがある場合、当該メッセージデータを削除したり、取得させないような設定に変更したりすることもできる。
【０１３２】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１３３】
【図１】本発明の実施形態に係るＰＴＴ通信システムの全体概略構成図である。
【図２】本発明の実施形態に係るＰＴＴ通信端末の論理ブロック構成図である。
【図３】本発明の実施形態に係るＰＴＴサーバの論理ブロック構成図である。
【図４】本発明の実施形態に係るメッセージ蓄積サーバの論理ブロック構成図である。
【図５】本発明の実施形態に係るメッセージ提供サーバの論理ブロック構成図である。
【図６】本発明の実施形態に係る通信端末の論理ブロック構成図である。
【図７】本発明の実施形態に係るＰＴＴ通信システムの動作フロー図である。
【図８】本発明の実施形態に係るＰＴＴ通信システムの動作フロー図である。
【図９】本発明の実施形態に係るＰＴＴ通信システムにおいて用いられる属性情報付きメッセージデータの構成図である。
【図１０】本発明の実施形態に係るＰＴＴ通信システムにおいて用いられるメタデータの一例を示す図である。
【図１１】本発明の実施形態に係るＰＴＴ通信システムにおいて用いられるＷｅｂ画面情報の一例を示す図である。
【図１２】本発明の実施形態に係るＰＴＴ通信システムにおけるメッセージデータの選択例を示す図である。
【符号の説明】
【０１３４】
１０…通信ネットワーク、１１Ａ，１１Ｂ…無線基地局、２０Ａ，２０Ｂ…ＰＴＴ通信端末、２１…通信部、２３…メッセージ処理部、２５…プレゼンス処理部、２７…属性情報付加部、２９…操作ボタン部、３０…通信端末、３１…通信部、３３…メッセージ処理部、３５…出力部、１００…ＰＴＴサーバ、１０１…通信部、１０３…メッセージ処理部、１０５…メンバー管理部、１０７…プレゼンス管理部、１０９…記憶部、２００…メッセージ蓄積サーバ、２０１…通信部、２０３…メッセージ処理部、２０５…メタデータ処理部、２０７…記憶部、３００…メッセージ提供サーバ、３０１…通信部、３０３…メッセージ処理部、３０５…記憶部、Ｄ…メタデータ、Ｍ…属性情報付きメッセージデータ、Ｍ１１…メッセージ重要度、Ｍ１１Ａ…会話内容種別、Ｍ１２…テーマ切替フラグ、Ｍ１３…メッセージデータ
【図１】
0004664160.tif 000002
【図２】
0004664160.tif 000003
【図３】
0004664160.tif 000004
【図４】
0004664160.tif 000005
【図５】
0004664160.tif 000006
【図６】
0004664160.tif 000007
【図７】
0004664160.tif 000008
【図８】
0004664160.tif 000009
【図９】
0004664160.tif 000010
【図１０】
0004664160.tif 000011
【図１１】
0004664160.tif 000012
【図１２】
0004664160.tif 000013